(57)【要約】【課題】  アドレスの設定と関係データの設定とがともに可能であってかつ紛失されにくい遠隔監視制御システム用設定器を提供する。【解決手段】  施工面に固定される固定部１と、固定部１に対して着脱自在に保持される携帯部２とを備える。固定部１に保持された状態では、携帯部２は信号線に電気的に接続され、伝送制御装置に対して関係データを設定することができる。固定部１から取り外した状態では、携帯部２に設けた発光素子から赤外光として送信される信号によって、操作端末器及び制御端末器に対してスイッチ及び負荷に対応するアドレスを設定することができる。アドレスを設定しないときは、携帯部２を固定部１に保持させておくことができるから、専用の保管場所を別途設けなくとも携帯部２を紛失しにくい。【選択図】図１
2006041957.tif 000002
【特許請求の範囲】
【請求項１】
スイッチを備えスイッチ毎に固有のアドレスが設定される操作端末器と、負荷が接続され負荷毎に固有のアドレスが設定される制御端末器と、操作端末器及び制御端末器が分岐接続された信号線を介して操作端末器及び制御端末器との間で時分割多重伝送方式により伝送信号を授受し、スイッチが操作されたときに操作端末器から受け取る監視データに基いて負荷を制御する制御データを生成するとともに、操作されたスイッチに対し予め設定された関係データによって関係付けられた負荷を接続した制御端末器に対して制御データを伝送する伝送制御装置とを備える遠隔監視制御システムに用いられ、
信号線に接続され１つのスイッチの操作により複数の負荷を一括して制御するように関係データを生成し関係データを伝送制御装置に転送し設定させる遠隔監視制御システム用設定器であって、
施工面に固定される固定部と、固定部に着脱自在に結合し固定部から取り外すことにより携帯可能な携帯部とからなり、
固定部は、施工面に固定されるベースと、信号線と携帯部とを電気的に接続するための接続手段とを有し、
携帯部は、アドレス及び関係データが手操作により入力される操作手段と、操作手段への入力に基いてアドレス及び関係データを生成する制御手段と、制御手段に制御されアドレスをそれぞれワイヤレス信号として操作端末器及び制御端末器に送信するワイヤレス送信手段と、携帯部が固定部に保持された状態で固定部の接続手段を介して信号線に電気的に接続される被接続手段と、制御手段に制御され関係データを被接続手段と接続手段と信号線とを通じて伝送制御装置に送信する有線送信手段と、携帯部の各部に電源を供給する電源手段と、制御手段と電源手段とを収納し、固定部と携帯部との少なくとも一方に設けられた保持手段によって固定部のベースに着脱自在に保持され、固定部のベースに保持された状態で露出する位置に操作手段を露出させるハウジングとを有することを特徴とする遠隔監視制御システム用設定器。
【請求項２】
接続手段と被接続手段とは互いに機械的かつ電気的に接続されるコネクタからなり、固定部のコネクタは、可撓性を有する電線を介して固定部のベースに機械的に接続されかつ信号線に電気的に接続されていることを特徴とする請求項１記載の遠隔監視制御システム用設定器。
【請求項３】
保持手段は、固定部と携帯部との一方に保持された磁石と、磁性体からなり固定部と携帯部との他方に保持されて磁石に磁着される吸着板とからなり、接続手段と被接続手段とは、それぞれ導電体からなり吸着板が磁石に磁着されたときに互いに接触導通する接触子からなることを特徴とする請求項１記載の遠隔監視制御システム用設定器。
【請求項４】
接続手段は、それぞれ導電体からなり携帯部を固定部に保持させたときに互いに接触導通する接触子からなり、接触子同士の接触面が固定部と携帯部との結合方向に交叉する面であることを特徴とする請求項１記載の遠隔監視制御システム用設定器。
【請求項５】
固定部のベースは携帯部のハウジングの少なくとも一部が収納される凹部を有し、接続手段は凹部内に収納され、固定部のベースに着脱自在に結合して凹部を覆うブランクカバーを備えることを特徴とする請求項１乃至４のいずれか記載の遠隔監視制御システム用設定器。
【請求項６】
携帯部のハウジングに着脱自在に結合して操作手段を覆う保護カバーを備えることを特徴とする請求項１乃至５のいずれか記載の遠隔監視制御システム用設定器。
【請求項７】
電源手段は２次電池を有し、携帯部は、固定部に保持された状態で接続手段を通じて電源を供給され２次電池を充電する充電手段を有することを特徴とする請求項１乃至６のいずれか記載の遠隔監視制御システム用設定器。
【発明の詳細な説明】
【技術分野】
【０００１】
本発明は、遠隔監視制御システム用設定器に関するものである。
【背景技術】
【０００２】
従来から、スイッチを備えスイッチ毎に固有のアドレスが設定される操作端末器と、負荷が接続され負荷毎に固有のアドレスが設定される制御端末器と、操作端末器及び制御端末器が分岐接続された信号線を介して操作端末器及び制御端末器との間で時分割多重伝送方式により伝送信号を授受し、スイッチが操作されたときに操作端末器から受け取る監視データに基いて負荷を制御する制御データを生成するとともに、操作されたスイッチに対し予め設定された関係データによって関係付けられた負荷を接続した制御端末器に対して制御データを伝送する伝送制御装置とを備える遠隔監視制御システムにおいて、操作端末器や制御端末器におけるアドレスを設定するアドレス設定器や、信号線に接続され１つのスイッチの操作により複数の負荷を一括して制御するように関係データを生成し関係データを伝送制御装置に転送し設定させるパターン設定器が提供されている。
【０００３】
ここで、スイッチに対応したアドレスや負荷に対応したアドレスは、信号線を通じて設定することができず、操作端末器や制御端末器に対して直接設定する必要があるため、アドレス設定器は通常携帯可能な構成とされ、アドレス設定器と操作端末器及び制御端末器との間の通信にはワイヤレス信号が用いられる（例えば、特許文献１参照）。
【０００４】
これに対し、関係データは、信号線を通じて伝送制御装置に直接設定することができるから、パターン設定器は、施工面に固定され信号線に接続された構成とされる（例えば、特許文献２参照）。
【特許文献１】特開平１１−１５０７７０号公報
【特許文献２】特開平１１−２９８９７８号公報
【発明の開示】
【発明が解決しようとする課題】
【０００５】
上述したように、アドレス設定器とパターン設定器とでは要求される構成が異なるため、従来は、アドレス設定器とパターン設定器とを別途に設ける必要があった。
【０００６】
また、アドレス設定器を保持するホルダや専用の保管場所を別途設けないと、アドレス設定器は紛失されることが多かった。
【０００７】
本発明は上記事由に鑑みて為されたものであり、その目的は、アドレスの設定と関係データの設定とがともに可能であってかつ紛失されにくい遠隔監視制御システム用設定器を提供することにある。
【課題を解決するための手段】
【０００８】
請求項１の発明は、スイッチを備えスイッチ毎に固有のアドレスが設定される操作端末器と、負荷が接続され負荷毎に固有のアドレスが設定される制御端末器と、操作端末器及び制御端末器が分岐接続された信号線を介して操作端末器及び制御端末器との間で時分割多重伝送方式により伝送信号を授受し、スイッチが操作されたときに操作端末器から受け取る監視データに基いて負荷を制御する制御データを生成するとともに、操作されたスイッチに対し予め設定された関係データによって関係付けられた負荷を接続した制御端末器に対して制御データを伝送する伝送制御装置とを備える遠隔監視制御システムに用いられ、信号線に接続され１つのスイッチの操作により複数の負荷を一括して制御するように関係データを生成し関係データを伝送制御装置に転送し設定させる遠隔監視制御システム用設定器であって、施工面に固定される固定部と、固定部に着脱自在に結合し固定部から取り外すことにより携帯可能な携帯部とからなり、固定部は、施工面に固定されるベースと、信号線と携帯部とを電気的に接続するための接続手段とを有し、携帯部は、アドレス及び関係データが手操作により入力される操作手段と、操作手段への入力に基いてアドレス及び関係データを生成する制御手段と、制御手段に制御されアドレスをそれぞれワイヤレス信号として操作端末器及び制御端末器に送信するワイヤレス送信手段と、携帯部が固定部に保持された状態で固定部の接続手段を介して信号線に電気的に接続される被接続手段と、制御手段に制御され関係データを被接続手段と接続手段と信号線とを通じて伝送制御装置に送信する有線送信手段と、携帯部の各部に電源を供給する電源手段と、制御手段と電源手段とを収納し、固定部と携帯部との少なくとも一方に設けられた保持手段によって固定部のベースに着脱自在に保持され、固定部のベースに保持された状態で露出する位置に操作手段を露出させるハウジングとを有することを特徴とする。
【０００９】
この発明によれば、操作端末器におけるスイッチに対応するアドレスや制御端末器における負荷に対応するアドレスの設定と、伝送制御装置における関係データの設定との両方が可能である。また、アドレスの設定を行わないときは携帯部を固定部に保持させておくことができるから、携帯部を紛失しにくい。
【００１０】
請求項２の発明は、請求項１の発明において、接続手段と被接続手段とは互いに機械的かつ電気的に接続されるコネクタからなり、固定部のコネクタは、可撓性を有する電線を介して固定部のベースに機械的に接続されかつ信号線に電気的に接続されていることを特徴とする。
【００１１】
この発明によれば、携帯部を固定部から取り外した状態でコネクタ同士を着脱することができるので、携帯部を固定部に対して着脱する際にコネクタを損傷することがない。
【００１２】
請求項３の発明は、請求項１の発明において、保持手段は、固定部と携帯部との一方に保持された磁石と、磁性体からなり固定部と携帯部との他方に保持されて磁石に磁着される吸着板とからなり、接続手段と被接続手段とは、それぞれ導電体からなり吸着板が磁石に磁着されたときに互いに接触導通する接触子からなることを特徴とする。
【００１３】
この発明によれば、携帯部を固定部に保持させる際は吸着板を磁石に磁着させるだけでよく、携帯部を固定部から取り外す際は磁石の磁力に抗して携帯部を固定部から引き離すだけでよく、取付け時と取外し時とのいずれにも、携帯部を固定部に対してがたつかせる必要がないから、携帯部を固定部に対して着脱する際に接触子を損傷するおそれがない。
【００１４】
請求項４の発明は、請求項１の発明において、接続手段は、それぞれ導電体からなり携帯部を固定部に保持させたときに互いに接触導通する接触子からなり、接触子同士の接触面が固定部と携帯部との結合方向に交叉する面であることを特徴とする。
【００１５】
この発明によれば、接触子同士の接触面が固定部と携帯部との結合方向に交叉する面であることにより、携帯部を固定部に対して着脱する際に携帯部を固定部に対してがたつかせても接触面同士が擦り合わされるだけであるから接触子を損傷するおそれがない。
【００１６】
請求項５の発明は、請求項１乃至４のいずれかの発明において、固定部のベースは携帯部のハウジングの少なくとも一部が収納される凹部を有し、接続手段は凹部内に収納され、固定部のベースに着脱自在に結合して凹部を覆うブランクカバーを備えることを特徴とする。
【００１７】
この発明によれば、携帯部を取り外しているときは、ブランクカバーによって固定部の接続手段を保護するとともに見栄えを向上することができる。
【００１８】
請求項６の発明は、請求項１乃至５のいずれかの発明において、携帯部のハウジングに着脱自在に結合して操作手段を覆う保護カバーを備えることを特徴とする。
【００１９】
この発明によれば、使用しないときは保護カバーを携帯部に取り付けておけば、操作手段を誤って操作することを防ぐことができる。また、携帯部が固定部に保持された状態での見栄えを向上することもできる。
【００２０】
請求項７の発明は、請求項１乃至６のいずれかの発明において、電源手段は２次電池を有し、携帯部は、固定部に保持された状態で接続手段を通じて電源を供給され２次電池を充電する充電手段を有することを特徴とする。
【００２１】
この発明によれば、携帯部を固定部から取り外した状態での電源となる２次電池は、携帯部が固定部に保持された状態で充電されるから、携帯部を固定部から取り外した状態での電源が尽きることが防止される。
【発明の効果】
【００２２】
本発明は、アドレス及び関係データが手操作により入力される操作手段と、操作手段への入力に基いてアドレス及び関係データを生成する制御手段と、制御手段に制御されアドレスをそれぞれワイヤレス信号として操作端末器及び制御端末器に送信するワイヤレス送信手段と、携帯部が固定部に保持された状態で固定部の接続手段を介して信号線に電気的に接続される被接続手段と、制御手段に制御され関係データを被接続手段と接続手段と信号線とを通じて伝送制御装置に送信する有線送信手段とを携帯部に備えるので、操作端末器におけるスイッチに対応するアドレスや制御端末器における負荷に対応するアドレスの設定と、伝送制御装置における関係データの設定との両方が可能である。また、施工面に固定され携帯部を着脱自在に保持する固定部を備えることにより、アドレスの設定を行わないときは携帯部を固定部に保持させておくことができるから、専用の保管場所を別途設けなくとも携帯部を紛失しにくい。
【発明を実施するための最良の形態】
【００２３】
以下、本発明を実施するための最良の形態について、図面を参照しながら説明する。
【００２４】
本発明は、図１に示すように、施工面（図示せず）に固定される固定部１と、固定部１に対して着脱自在に保持される携帯部２とを備える。固定部１に保持された状態では、携帯部２は信号線に電気的に接続される。以下、上下方向は図１を基準とし、図１の左下−右上方向を前後方向と呼び、左上−右下方向を左右方向と呼ぶ。
【００２５】
固定部１は、図２に示すように、施工面に設けられた埋込穴（図示せず）に埋め込み固定されるボディ３１と、ボディ３１の前側に結合するカバー３２とからなるベース３を備える。ボディ３１とカバー３２とは、それぞれ前面に凹部３１ａ，３２ａを有する直方体形状の本体部３１ｂ，３２ｂと、本体部３１ｂ，３２ｂの前端部から凹部３１ａ，３２ａの開口面に沿って外側へ突設された鍔部３１ｃ，３２ｃとを有する。ボディ３１の本体部３１ｂの左右の端面には、それぞれ前後に開放された２個の溝部３１ｄを上下に並べて設けるとともに溝部３１ｄの底面の前端部には係合突起３１ｅを外側へ突設してある。また、カバー３２の鍔部３２ｃの左右の端部にはそれぞれ２個の係合片３２ｄを上下に並べて突設するとともに、各係合片３２ｄにはそれぞれ係合穴３２ｅを左右に貫設してある。そして、ボディ３１の前方から溝部３１ｄに導入されたカバー３２の係合片３２ｄの係合穴３２ｅにボディ３１の係合突起３１ｅが係入することによって、ボディ３１とカバー３２とは結合している。
【００２６】
また、固定部１のボディ３１は、ＪＩＳ  Ｃ  ８３０４に規定された大角連用型の既成の取付枠に対応した形状に形成されている。そして、ボディ３１の鍔部３１ｃの上下の端部には、それぞれ左右に長い長穴形状であって施工面に埋め込まれた埋込ボックス（図示せず）に螺合するボックスねじが挿通されるボックス穴３１ｆが前後に貫設されている。また、ボックス穴３１ｆの左右には、施工面がパネル材で形成されているときにパネル材を鍔部３１ｃとの間で挟持する挟み金具（図示せず）を引掛け係止するための引掛け穴３１ｇが貫設されている。さらに、鍔部３１ｃの上端部と下端部とにおいてそれぞれボックス穴３１ｆよりも凹部から離れた位置には、それぞれプレートを取り付けるためのねじが挿通されるプレート穴３１ｈが前後に貫設されている。さらに、各プレート穴３１ｈの左右には、それぞれ施工面に螺合する直付け用のねじが挿通される直付け穴３１ｉが貫設されている。カバー３２の鍔部３２ｃの上下端部には、それぞれボックス穴３１ｆを前方へ露出させるための切り欠き３２ｆを設けてある。また、カバー３２の凹部３２ａ内の上端部には、信号線Ｌ（図４参照）に電気的に接続された接触子５１を有するコネクタ５ａを設けてある。
【００２７】
携帯部２は、後面が開放された直方体形状に形成されたカバー４２と、カバー４２の後側を閉塞するボディ４１とからなるハウジング４を備える。ボディ４１の左右両端部にはそれぞれ結合突起４１ａが前方へ突設され、各結合突起４１ａの外側の面には結合穴４１ｂが設けられている。カバー４２の左右の内側面には結合突起（図示せず）が内側へ突設され、結合突起が結合穴４１ｂに係入することによってボディ４１とカバー４２とは結合している。ボディ４１の左右の端部には、それぞれ後方へ突出して左右に対向する保持片４１ｃが突設され、各保持片４１ｃの上下の端部には、それぞれ保持穴４１ｄが左右に貫設されている。固定部１のベース３においてカバー３２の凹部３２ａの左右の内面には、それぞれ保持突起３２ｇが凹部３２ａの内側へ突設されている。各保持突起３２ｇの上下にはそれぞれ前後に長いスリット３２ｈが設けられており、スリット３２ｈに挟まれた部位が左右に弾性変形することにより、保持突起３２ｇは凹部３２ａの内側への突出量を弾性的に変化させることができるようになっている。そして、携帯部２の保持穴４１ｄに固定部１の保持突起３２ｇが係入することにより、携帯部２は固定部１に保持されている。つまり、保持穴４１ｄと保持突起３２ｇとが保持手段を構成している。また、ボディ４１は後面に開口し電池ＢＴ（図３参照）が収納される電池収納部（図示せず）を有し、携帯部２はボディ４１に着脱自在に結合して電池収納部を覆う電池カバー４３を備える。
【００２８】
携帯部２のハウジング４には、プリント配線板６が厚さ方向を前後方向へ向けて収納されている。プリント配線板６の後面にはコネクタ５ｂが実装され、ボディ４１にはコネクタ５ｂを後方へ突出させるコネクタ挿通穴４１ｅが設けられていて、携帯部２が固定部１に保持された状態ではコネクタ５ａ，５ｂ同士が接続され、携帯部２のコネクタ５ｂの接触子５２（図３参照）が保持部１のコネクタ５ａの接触子５１に接触導通する。つまり、コネクタ５ａ，５ｂが接続手段を構成する。また、プリント配線板６の左右両端には、それぞれ２箇所の凹部６１が設けられていて、結合突起４１ａが凹部６１に係入することによってプリント配線板６はボディ４１に対して位置決めされている。
【００２９】
プリント配線板６には、図３に示すように、アドレス及び関係データが手操作により入力される操作部２１と、例えばマイコンからなり操作部２１への入力に基いてアドレス及び関係データを生成する制御部２２と、制御部２２にクロック信号を与える発振部２２ａと、制御部２２をリセットさせるリセット部２２ｂと、制御手段２２に制御され関係データをコネクタ５ａ，５ｂと信号線Ｌ（図４参照）とを通じて伝送制御装置（図示せず）に送信する有線送信手段としての有線送受信部２３と、ワイヤレス信号としての赤外光を発生させる発光ダイオードのような発光素子ＬＤと、制御部２２に制御されて発光素子ＬＤを駆動しアドレスをそれぞれ赤外光として操作端末器（図示せず）及び制御端末器（図示せず）に送信する（すなわち、発光素子ＬＤとともにワイヤレス送信手段を構成する）光送信部２４と、操作端末器や制御端末器から赤外光として送信された信号を受光するフォトダイオードのような受光素子ＰＤと、受光素子ＰＤの出力を変換して制御部２２に入力する光受信部２５と、ブザー（図示せず）を備え操作部２１に加えられた操作に応じてブザーを鳴動させるブザー部２６と、液晶パネルＬＰを備え制御部２２に制御されて各種の表示を行う液晶表示部２７と、携帯部２の各部に電源を供給する電源部２８とが実装されている。
【００３０】
また、携帯部２は電池ＢＴを備え、電源部２８は、携帯部２が固定部１に保持された状態では信号線Ｌを介して電源を供給され、携帯部２が固定部１から取り外された状態では電池ＢＴから電源を供給される。すなわち、電源部２８と電池ＢＴとが電源手段を構成している。
【００３１】
操作部２１は、平板の１面に複数個の操作手段としての押釦７１が一体に形成されてなるラバースイッチ７と、押釦７１内に設けられた接点の開閉に基いた操作信号を生成して制御部２２に入力する入力処理部（図示せず）とからなる。
【００３２】
ラバースイッチ７の上下方向での中央部には、左右に長い接続穴７２が貫設されている。プリント配線板６の前面には左右に長い接続突起６２が突設されていて、接続突起６２が接続穴７２に挿入されることによってラバースイッチ７はプリント配線板６に対して位置決めされている。また、接続穴７２の内周と接続突起６２の外周とにはそれぞれ端子（図示せず）が設けられ、接続突起６２が接続穴７２に挿入されたときには端子同士が接触導通することにより、プリント配線板６とラバースイッチ７とが電気的に接続されている。
【００３３】
発光素子ＬＤと受光素子ＰＤとは、それぞれ発光部及び受光面を上方へ向けてプリント配線板６の上端部に実装されている。ハウジング４のカバー４２の上端部には、後方へ開放され発光素子ＬＤの発光部と受光素子ＰＤの受光面とをそれぞれ露出させる開口をボディ４１との間に形成する切り欠き４２ａが設けられている。
【００３４】
また、ハウジング４のカバー４２には、それぞれ押釦７１が挿通される複数の押釦挿通穴４２ｂと、液晶パネルＬＰを露出させる窓穴４２ｃとが前後に貫設されている。窓穴４２ｃは、透明な材料からなる窓材１０によって覆われる。窓穴４２ｃの内周面には前側の開口よりも後側の開口を小さくする段が設けられており、この段によって窓材１０の後方への脱落が防止されている。さらに、カバー４２の前面には銘板１１が取り付けられる。銘板１１には、それぞれ押釦７１が挿通される複数の押釦挿通穴１１ａと、液晶パネルＬＰを露出させる窓穴１１ｂとが前後に貫設されている。銘板１１の窓穴１１ｂは窓材１０よりも小さくしてあり、窓材１０の前方への脱落は銘板１１によって防止される。また、銘板１１には、各押釦７１の機能を示す表示が付されている。
【００３５】
本実施形態は、図４に示すように操作端末器としてのＰＧ操作端末器１２及び個別操作端末器１３に並設され、信号線Ｌを介して伝送ユニット１４に接続される。
【００３６】
ＰＧ操作端末器１２は、それぞれ予め関係データによって対応付けられた複数の負荷を負荷毎に設定された制御状態に同時に切り替えるパターン制御に用いられる２個のパターンスイッチ１２ａと、それぞれ予め関係データによって対応付けられた複数の負荷を一括してオンオフするグループ制御に用いられる２個のグループスイッチ１２ｂとを有する。また、個別操作端末器１３は、負荷を個別に制御するためのものであって、各負荷に対応した８個の個別スイッチ１３ａと、負荷と一対一に対応しそれぞれ点灯状態によって負荷の状態を表示する表示用発光素子（図示せず）と、表示用発光素子の光を導出する表示窓１３ｂとを備える。ＰＧ操作端末器１２及び個別操作端末器１３は、それぞれ、パターンスイッチ１２ａ又はグループスイッチ１２ｂ又は個別スイッチ１３ａが操作されたときに、操作されたパターンスイッチ１２ａ又はグループスイッチ１２ｂ又は個別スイッチ１３ａに応じた監視データを生成し信号線Ｌを介して伝送ユニット１４へ送信する。
【００３７】
伝送ユニット１４には、それぞれ負荷への給電をオンオフする８個のリレー１４ａが取り付けられている。伝送ユニット１４は、電源用端子１４ｂに接続される例えば単相３線の電線（図示せず）を介して電源を供給され、信号用端子１４ｃに接続された信号線Ｌを通じて伝送された監視データに応じてリレー１４ａを制御することにより、リレー１４ａの端子１４ｄに接続された負荷をオンオフする。つまり、伝送ユニット１４は伝送制御装置であるとともに制御端末器でもある。
【００３８】
以下、本実施形態においてアドレスを設定する手順及び関係データを設定する手順を説明する。なお、手順の説明においては、各押釦７１に互いに異なる名称及び符号を付している。
【００３９】
まず、アドレスを設定する手順について説明する。アドレスの設定は、携帯部２を固定部１から取り外し、発光素子ＬＤの発光部を操作端末器又は制御端末器の受光部（図示せず）に向けて行う。アドレスの設定には、図５（ｂ）の囲みＺ２内の押釦７１ａ，７１ｃ〜７１ｊが用いられる。まず、電源釦７１ａを押すと、有線送受信部２３が信号線Ｌに接続されていないことが制御部２２によって検出され、制御部２２はアドレスを設定するモードで起動する。次に、確認釦７１ｇを押すと、制御部２２は光送信部２４を制御し、所定の確認信号を発光素子ＬＤの光として操作端末器又は制御端末器に送信させる。操作端末器及び制御端末器では、確認信号が受信されると、アドレスの設定状態を示すアドレス報知信号を光として送信する。
【００４０】
制御部２２は、アドレス報知信号が受光素子ＰＤと光受信部２５とを介して受信されると、ブザー部２６を制御し、通信の成功を報知する音（例えば長音）を発生させるとともに、液晶表示部２７を制御してアドレス報知信号の内容を液晶パネルＬＰに表示させる。次に、回路切替釦７１ｃを押し、アドレスを設定するスイッチ又は負荷に一対一に対応する番号である回路番号を選択する。さらに、機能選択釦７１ｄを押すことにより、個別のアドレスだけでなくパターンやグループとしてのアドレスを設定することもできる。次に、アドレス選択釦７１ｅ，７１ｆによってアドレス番号を選択する。ここで、順送り釦７１ｊを押すと、次の回路番号に次のアドレスを割り当てることができる。また、クリア釦７１ｈを押すと、選択中の回路番号のアドレスの設定の内容がリセットされる。
【００４１】
アドレスの選択後、設定釦７１ｉを押すと、制御部２２は光送信部２４を制御し、設定された回路番号とアドレスとの対応関係を示す設定信号を発光素子ＬＤの光として操作端末器又は制御端末器に送信させる。操作端末器及び制御端末器では、設定信号が受信されると、設定信号に応じて回路番号とアドレスとの対応関係を設定するとともに所定の応答信号を光として送信する。制御部２２は、応答信号が受光素子ＰＤと光受信部２５とを介して受信されると、ブザー部２６を制御し、通信の成功を報知する音（例えば長音）を発生させ、ここにおいてアドレスの設定が完了する。
【００４２】
なお、確認信号又は設定信号が送信されてから所定時間以内にアドレス報知信号又は応答信号が受信されなかった場合、制御部２２は、ブザー部２６を制御し、通信の失敗を報知する音（例えば短音５回）を発生させるとともに、液晶表示部２７を制御して通信に失敗した旨を液晶パネルＬＰに表示させる。
【００４３】
次に、関係データを設定する手順について説明する。関係データの設定には、図５（ａ）の囲みＺ１内の押釦７１ａ，７１ｂ，７１ｄ〜７１ｆ，７１ｋ，７１ｌが用いられる。関係データの設定は、携帯部２が固定部１に保持された状態で行う。電源釦７１ａを押すと、有線送受信部２３が信号線Ｌに接続されていることが制御部２２によって検出され、制御部２２は関係データを設定するモードで起動する。次に切替釦７１ｂを押すと、制御部２２は有線送受信部２３を制御し、所定の設定開始信号を信号線Ｌを介して伝送制御装置に送信させる。伝送ユニット１４では、設定開始信号が受信されると、ＰＧ操作端末器１２及び個別操作端末器１３からの信号に基くリレー１４ａの制御を行う通常モードから、関係データを設定する設定モードに切り換わる。
【００４４】
さらに、パターン制御の関係データを設定するかグループ制御の関係データを設定するかを機能選択釦７１ｄによって選択する。設定する関係データの種別が選択されたら、設定する関係データに対応付けるスイッチのアドレスを、アドレス選択釦７１ｅ，７１ｆによって選択する。ここで、ＰＧ操作端末器１２のパターンスイッチ１２ａ又はグループスイッチ１２ｂが操作されたときに、いずれのパターンスイッチ１２ａ又はグループスイッチ１２ｂに対応する関係データを設定するかが伝送ユニット１４において選択され、伝送ユニット１４からは選択されたパターンスイッチ１２ａ又はグループスイッチ１２ｂが信号線Ｌと有線送受信部２３とを介して制御部２２に報知される構成としてもよい。
【００４５】
スイッチのアドレスの選択が完了したら、次に対応付ける負荷を個別操作端末器１３の個別スイッチ１３ａを操作することによって設定する。例えば、パターン制御の設定であれば個別スイッチ１３ａを押す度に、パターンスイッチでオン→パターンスイッチでオフ→パターンスイッチの制御対象外→パターンスイッチでオン…と切り替わり、グループの設定であれば、個別スイッチ１３ａを押す度に、グループスイッチの制御対象→グループスイッチの制御対象外→グループスイッチの制御対象…と切り替わり、設定状態は表示窓１３ｂ内のランプの点灯状態で確認できるようにする。
【００４６】
なお、制御対象とする負荷のアドレスやパターン制御時の動作を設定する操作のための押釦７１を携帯部２に設けてもよい。この場合、制御部２２は押釦７１に加えられた操作に応じて関係データを生成し、設定が完了したら、登録釦７１ｋを押すと、制御部２２は有線送信部２３を制御して信号線Ｌを通じて伝送ユニット１４に関係データを送信させ、伝送ユニット１４では、関係データが受信されると、受信された関係データに応じて設定を変更する構成とする。
【００４７】
また、伝送ユニット１４が設定モードであるときにクリア釦７１ｌを押すと、制御部２２は有線送信部２３を制御して所定のリセット信号を信号線Ｌを通じて伝送ユニット１４に送信させる。伝送ユニット１４では、リセット信号が受信されると、設定された関係データをリセットさせる。
【００４８】
最後に、再び切替釦７１ｂを押すと、制御部２２は有線送受信部２３を制御し、所定の設定終了信号を信号線Ｌを介して伝送ユニット１４に送信させる。伝送ユニット１４では、設定終了信号が受信されると、設定モードから通常モードに切り換わり、ＰＧ操作端末器１２及び個別操作端末器１３から送信される監視データに基くリレー１４ａの制御を再開する。
【００４９】
上記構成によれば、操作端末器におけるスイッチに対応するアドレスや制御端末器における負荷に対応するアドレスの設定と、伝送制御装置における関係データの設定との両方が可能である。また、アドレスの設定を行わないときは携帯部２を固定部１に保持させておくことができるから、専用の保管場所を別途設けなくとも携帯部２を紛失しにくい。
【００５０】
なお、図６（ａ）（ｂ）に示すように、固定部１に着脱自在に結合して凹部３２ａを覆うブランクカバー１５を設けてもよい。詳しく説明すると、ブランクカバー１５は長方形平板形状の基部１５ａと、基部１５ａの上下の端部にそれぞれ左右に並べて後方へ突設された係合片１５ｂとを有する。係合片１５ｂの後端部において上下方向での内側の面には、それぞれ係合爪１５ｃが突設されている。ベース３のボディ３１の鍔部３１ｃの上下の端面には、それぞれ係合凹部３１ｊを設けてあり、係合爪が係合凹部３１ｊに係合することによりブランクカバー１５はベース３の前側を覆い、凹部３２ａを閉塞する。この構成を採用すれば、携帯部２を取り外した固定部１の見栄えを向上するとともにコネクタ５ａを保護することができる。
【００５１】
また、図７（ａ）〜（ｃ）に示すように、携帯部２に着脱自在に結合して押釦７１と窓材１０とを覆う保護カバー１６を設けてもよい。詳しく説明すると、保護カバーは長方形平板形状に形成された前壁１６ａと、前壁１６ａの左右両端部からそれぞれ後方へ突設された側壁１６ｂとから断面コ字形状に形成されている。側壁１６ｂの内面には結合突起（図示せず）を突設してある。また、携帯部２のハウジング４の左右の側面にはそれぞれ上下に開放された結合溝４２ｄを設けてあり、図７（ｂ）に示すように結合突起を結合溝４２ｄの下側から導入して係合させることによって保護カバー１６は携帯部２に保持されている。なお、保護カバー１６の下方への脱落は、例えば互いに噛み合う凹凸を結合溝４２ｄの底部と結合突起とに設けることによって防止する。結合溝４２ｄは携帯部２のハウジング４に設けているので、図７（ａ）に示すように固定部１から取り外した状態でも保護カバー１６を取り付けることができる。この構成を採用すれば、押釦７１を保護し、押釦７１が誤って操作されることを防ぐとともに見栄えを向上することができる。また、保護カバー１６は窓材１０も覆うので、窓材１０の汚れを防止することもできる。
【００５２】
また、電池ＢＴとして２次電池を用いるとともに、図８に示すように、携帯部２が固定部１に保持された状態で信号線Ｌを介して電源を供給され電池ＢＴを充電する充電部２９を設けてもよい。この構成を採用すれば、電池ＢＴが切れることが少なくなる。
【００５３】
さらに、図９に示すように、固定部１のコネクタ５ａを、可撓性を有する電線Ｃを介してボディ３２に機械的かつ電気的に接続してもよい。この構成を採用すれば、固定部１への携帯部２の取付けとコネクタ５ａ，５ｂの接続とを別途に行うことができるから、固定部１への携帯部２の取付け時にコネクタ５ａ，５ｂを破損しにくくなる。
【００５４】
また、図１０に示すように、コネクタ５ａ，５ｂとして、一方に設けられた永久磁石（図示せず）と他方に設けられた吸着板（図示せず）との間の磁力によって結合力を生じるマグネットコネクタを用い、コネクタ５ａ，５ｂの結合力によって携帯部２を固定部１に保持するようにすれば、携帯部２を固定部１から取り外す際は上記磁力に抗して携帯部２を固定部１から引き離すだけでよいから、接触子５１，５２を破損しにくい。
【００５５】
さらに、図１１に示すように、固定部１にコネクタ５ａを設ける代わりに、前後方向に弾性を有する板ばねからなり携帯部２が固定部１に保持された状態でコネクタ５ｂの接触子５２に接触導通する接触子５１のみを設け、携帯部２の接触子５２と固定部１の接触子５１との接触面を携帯部２と固定部１との結合方向すなわち前後方向に略直交する面としてもよい。この構成を採用すれば、携帯部２を固定部１に着脱する際に携帯部２を固定部１に対してがたつかせても接触面同士が擦り合わされるだけであるから接触子５１，５２が破損しない。また、接触子５１が、携帯部２と固定部１とが結合する方向である前後方向に弾性を有することにより、接触子５１が摩耗しても接触圧が低下しにくい。
【図面の簡単な説明】
【００５６】
【図１】本発明の実施形態を示す斜視図である。
【図２】同上を示す分解斜視図である。
【図３】同上の携帯部の構成を示すブロック図である。
【図４】同上の使用形態を示す説明図である。
【図５】同上の携帯部を示す正面図であり、（ａ）は固定部に保持された状態を示し、（ｂ）は固定部から取り外した状態を示す。
【図６】同上の別の形態を示す斜視図であり、（ａ）はブランクカバーを固定部から取り外した状態を示し、（ｂ）はブランクカバーを固定部に取り付けた状態を示す。
【図７】同上の更に別の形態を示す斜視図であり、（ａ）は携帯部を固定部から取り外した状態を示し、（ｂ）は携帯部が固定部に保持された状態を示し、（ｃ）は保護カバーによって押釦を覆った状態を示す。
【図８】同上の別の形態の携帯部の構成を示すブロック図である。
【図９】同上の更に別の形態を示す分解斜視図である。
【図１０】同上の別の形態を示す分解斜視図である。
【図１１】同上の更に別の形態を示す分解斜視図である。
【符号の説明】
【００５７】
１  固定部
２  携帯部
３  ベース
４  ハウジング
５ａ，５ｂ  コネクタ
１２  ＰＧ操作端末器
１３  個別操作端末器
１４  伝送ユニット
１５  ブランクカバー
１６  保護カバー
２１  操作部
２２  制御部
２３  有線送受信部
２４  光送信部
２８  電源部
２９  充電部
３２ａ  凹部
３２ｇ  保持突起
４１ｄ  保持穴
７１  押釦
ＢＴ  電池
Ｃ  電線
Ｌ  信号線
ＬＤ  発光素子
【図１】
2006041957.tif 000003
【図２】
2006041957.tif 000004
【図３】
2006041957.tif 000005
【図４】
2006041957.tif 000006
【図５】
2006041957.tif 000007
【図６】
2006041957.tif 000008
【図７】
2006041957.tif 000009
【図８】
2006041957.tif 000010
【図９】
2006041957.tif 000011
【図１０】
2006041957.tif 000012
【図１１】
2006041957.tif 000013